(57)【要約】【課題】落下の衝撃を受けても内部の撮影ユニットが壊れ難い撮影装置、その撮影装置を備えた携帯機器を提供する。【解決手段】レンズ１００ａと、イメージセンサを備えたセンサ基板とを保持する保持モジュール２０２と、イメージセンサで被写体光を捉えることにより生成される画像信号により表わされる画像のブレが補正されるように上記保持モジュールを駆動する駆動機構とを備えた撮影ユニット２００を支持部材２０５に一体的に支持させ、その支持部材と筐体との間にバネ部材ＳＰ１，ＳＰ２を挿入して撮影ユニット２００を筐体に取り付ける。手ブレ検出基板１８２Ａは、筐体に移動不能に固定的に取り付ける。【選択図】      図５
2009141677.tif 000002
【特許請求の範囲】
【請求項１】
筐体と、
手ブレを検出する手ブレ検出センサが搭載され、前記筐体に移動不能に固定された手ブレ検出手段と、
レンズと、該レンズにより結像された被写体光を捉えて画像信号を生成するイメージセンサを備えたセンサ基板と、該レンズおよび該センサ基板のうちの少なくとも一方を保持する保持モジュールと、前記イメージセンサで被写体光を捉えることにより生成される画像信号により表わされる画像のブレが補正されるように前記保持モジュールを駆動する駆動機構とを備えた撮影ユニットと、
前記筐体と前記撮影ユニットとの間に介在し該筐体への衝撃の該撮影ユニットへの伝達を緩和する緩衝部材とを備えたことを特徴とする撮影装置。
【請求項２】
前前記緩衝部材は、前記撮影ユニットと前記筐体との間に介在するバネ部材であることを特徴とする請求項１記載の撮影装置。
【請求項３】
前記レンズと前記イメージセンサとの双方がブレ補正素子であって、前記保持モジュールが、該レンズと該イメージセンサとの双方を保持するものであって、
当該撮影装置が、さらに、前記保持モジュールを移動自在に支持する支持部材を備えたことを特徴とする請求項１又は２記載の撮影装置。
【請求項４】
前記保持モジュールを、自在な向きに揺動自在に、該保持モジュールの外周沿いの一点である軸点で支持するものであって、
前記駆動機構が、前記保持モジュールの外周沿いの、前記軸点から互いに異なる第１の方向および第２の方向それぞれに離れた第１の駆動点および第２の駆動点それぞれを介して該保持モジュールを駆動する２つの駆動機構であって、前記保持モジュールを、前記第１の駆動点を介して、前記軸点と前記第２の駆動点とを結ぶ第１の軸の周りに回動させる第１の駆動機構と、前記第２の駆動点を介して、前記軸点と前記第１の駆動点とを結ぶ第２の軸の周りに回動させる第２の駆動機構とからなることを特徴とする請求項３記載の撮影装置。
【請求項５】
前記緩衝部材が、前記手ブレ検出基板と前記筐体内面との間に介在するものであることを特徴とする請求項１から４のうちのいずれか１項記載の撮影装置。
【請求項６】
前記第１の駆動機構が、
前記第１の駆動点を回動自在に支持する第１のアームと、
前記第１のアームに保持され、磁力の作用と通電を受けて光軸方向の駆動力を生成し該第１のアームに前記第１の駆動点を光軸方向に駆動させる第１のコイルと、
前記支持部材に保持されて前記第１のコイルに磁力を作用させる、光軸に対し水平に広がる第１のマグネットと、
前記支持部材に固定され、前記第１のアームの、前記第１の駆動点に駆動力を与える第１の作用点が光軸方向に移動するように、該第１のアームを案内する第１の案内部材とを備え、
前記第２の駆動機構が、
前記第２の駆動点を回動自在に支持する第２のアームと、
前記第２のアームに保持され、磁力の作用と通電を受けて光軸方向の駆動力を生成し該第２のアームに前記第２の駆動点を光軸方向に駆動させる第２のコイルと、
前記支持部材に保持されて前記第２のコイルに磁力を作用させる、光軸に対し水平に広がる第２のマグネットと、
前記支持部材に固定され、前記第２のアームの、前記第２の駆動点に駆動力を与える第２の作用点が光軸方向に移動するように、該第２のアームを案内する第２の案内部材とを備えた請求項４又は５記載の撮影装置。
【請求項７】
さらに、前記第１のアームに支持されて該第１のアームが前記第１の駆動点を駆動したときの該第１のアームの光軸方向の移動による前記第１のマグネットから受ける磁力の変化を検出する第１のセンサと、
前記第２のアームに支持されて該第２のアームが前記第２の駆動点を駆動したときの該第２のアームの光軸方向の移動による前記第２のマグネットから受ける磁力の変化を検出する第２のセンサとを備えたことを特徴とする請求項６記載の撮影装置。
【請求項８】
前記第１の駆動点および前記第２の駆動点が、該第１の駆動点と前記軸点とを結ぶ線分および該第２の駆動点と前記軸点とを結ぶ線分が互いに略９０度の角度で交わる各位置に形成されていることを特徴とする請求項４から７のうちのいずれか１項記載の撮影装置。
【請求項９】
前記保持モジュールが、前記軸点に球状の凸部を有し、前記支持部材が、前記支持部に、該凸部を受ける球状の凹面を有することを特徴とする請求項４から８のうちのいずれか１項記載の撮影装置。
【請求項１０】
前記保持モジュールが、前記第１の駆動点および前記第２の駆動点それぞれに球状の凸部を有し、前記第１のアームおよび前記第２のアームが、前記第１の作用点および前記第２の作用点それぞれに、該第１の駆動点および該第２の駆動点それぞれに備えられた各凸部を受ける球状の各凹部を有し、該第１のアームおよび該第２のアームが該各凹部を介して該各凸部に駆動力を与えるものであることを特徴とする請求項６から９のうちのいずれか１項記載の撮影装置。
【請求項１１】
前記手ブレ検出センサの検出結果に応じて前記駆動機構に前記ブレ補正素子を駆動させるブレ制御部を備えたことを特徴とする請求項１から１０記載のうちのいずれか１項記載の撮影装置。
【請求項１２】
請求項１から１１記載のうちのいずれか１項記載の撮影装置を具備したことを特徴とする携帯機器。
【発明の詳細な説明】
【技術分野】
【０００１】
本発明は、像ブレ補正機構を有する撮影ユニットを備えた撮影装置、その撮影装置を備えた携帯機器に関する。
【背景技術】
【０００２】
従来より、デジタルカメラ等には、ユーザの手ブレ等による撮影画像の乱れを抑制するために、各種の手振れ補正機構が採用されている（特許文献１、２、３参照）。
【０００３】
このような手振れ補正機構としては、撮影用のレンズが保持された保持モジュールがピッチング方向とヨーイング方向とに回動自在となる様に、所謂ジンバル機構と呼ばれる方式を採用するものがある。
【０００４】
しかしながら、上記特許文献１に開示されているようなジンバル機構の場合、自由回転する回転継手等を保持モジュールの上下左右の４箇所に配置する必要があることから、どうしても手振れ補正機構が大型化する傾向にある。
【０００５】
そこで、保持モジュールの外周沿いの一点である軸点を揺動自在に支持するとともに、その保持モジュールの外周沿いの、上記軸点から互いに異なる第１の方向および第２の方向それぞれに離れた第１の駆動点および第２の駆動点それぞれを介して上記保持モジュールを駆動する駆動構造が本出願人により出願され、特願２００６−２６９７１２号、特願２００６−２６９７１３号、特願２００６−２６９７１４号、特願２００６−２６９７１５号等、未公開出願として提案されている。さらに本出願人は、これら先願にさらなる改良を加えて保持モジュールが揺動しているときの保持モジュールの位置検出精度を高めることを目的とした技術を特願２００７−０３５３４１号の像ブレ補正ユニットとして提案している。これらの出願で提案されている駆動構造が実現すると、像ブレ補正機能を有する撮影ユニットの小型化が実現されて携帯機器への搭載が可能になる。
【０００６】
図６は、上記像ブレ補正機能を有する撮影ユニットの作用を説明する図である。
【０００７】
図６（ａ）、図６（ｂ）には、ブレが発生したときにレンズとセンサとの位置関係にどのような不具合が発生するかが示されており、図６（ｃ）には、レンズとセンサとを備える像ブレ補正ユニットによってブレがどのように補正されるかが示されている。
【０００８】
図６（ａ）に示す様に手ブレが発生しない場合には、レンズの光軸とセンサの受光面（センサ面）の光軸とが互いに一致して正しい位置に被写体光が結像する。これに対して、手ブレが発生すると図６（ｂ）に示す様にレンズやセンサ面が矢印の方向に回転してレンズの光軸とセンサ面の光軸とがずれて正しい位置に被写体光が結像しなくなる。
【０００９】
そこで上記像ブレ補正ユニットを携帯機器に搭載して撮影時に手ブレが発生したときには図６（ｃ）に示す様にレンズとセンサとからなる像ブレ補正ユニットにジャイロのような動作を行なわせることによって、被写体光が常にセンサ面の正しい位置に結像するようにしている。このように像ブレ補正ユニットをカメラ付き携帯電話機等の携帯機器に搭載すると、携帯機器が撮影操作により回転したとしても像ブレ補正ユニットの姿勢はいつでも撮影操作直前の姿勢に保たれて好適な撮影が行なわれる。
【００１０】
ところで、上記撮影ユニットを具備するデジタルカメラ等を携帯中にうっかりと落としたりぶつけたりしてしまうことがある。このようなときにはデジタルカメラ内部に搭載された上記撮影ユニットが衝撃を受けて壊れてしまうことがある。
【００１１】
図７は、携帯電話機１００Ｉに撮影ユニット２００Ｉを搭載する場合に、現状で考えられる撮影ユニット２００Ｉの取付構造を説明する図である。
【００１２】
図７に示す様に、手ブレの状態を手ブレ検出センサで検出して撮影ユニットで正確に像ブレ補正を行なうことができるように、撮影ユニット２００Ｉと手ブレ検出基板１８２Ｉとの双方をしっかりと筐体に取り付けることが考えられる。この場合、携帯電話機をうっかりと落とすようなことがあると撮影ユニット２００Ｉが壊れてしまう事態が発生する恐れがある。
【特許文献１】特開平７−２７４０５６号公報
【特許文献２】特開２００５−３２６８０７号公報
【特許文献３】特許第２６１２３７１号公報
【発明の開示】
【発明が解決しようとする課題】
【００１３】
本発明は、上記事情に鑑み、落下の衝撃を受けても内部の撮影ユニットが壊れ難い撮影装置、その撮影装置を備えた携帯機器を提供することを目的とする。
【課題を解決するための手段】
【００１４】
上記目的を達成するための本発明の撮影装置は、
筐体と、
手ブレを検出する手ブレ検出センサが搭載され、上記筐体に移動不能に固定された手ブレ検出手段と、
レンズと、そのレンズにより結像された被写体光を捉えて画像信号を生成するイメージセンサを備えたセンサ基板と、そのレンズおよびそのセンサ基板のうちの少なくとも一方を保持する保持モジュールと、上記イメージセンサで被写体光を捉えることにより生成される画像信号により表わされる画像のブレが補正されるように上記保持モジュールを駆動する駆動機構とを備えた撮影ユニットと、
上記筐体と上記撮影ユニットとの間に介在しその筐体への衝撃の撮影ユニットへの伝達を緩和する緩衝部材とを備えたことを特徴とする。
【００１５】
上記本発明の撮影装置によれば、上記手ブレ検出手段が壊れ難いことが考慮され手ブレ補正手段が上記筐体に移動不能に固定される。また上記撮影ユニットと上記筐体との間には緩衝部材が挿入されて上記筐体への衝撃の上記撮影ユニットへの伝達が緩和されて撮影ユニットが筐体に固定される。このため、落下時の衝撃が上記緩衝部材により緩和されて撮影ユニットに伝達され難くなって撮影ユニットが壊れることが防止される。
【００１６】
上記緩衝部材が、落下時以外においても緩衝部材として機能してしまうと上記手ブレ検出手段の検出結果に応じて上記撮影ユニットによって手ブレ補正が正確に行なわれなくなる恐れがあるので、上記緩衝部材は、落下時にのみ緩衝部材として機能するものである方が良い。
【００１７】
ここで、上記緩衝部材は、上記撮影ユニットと上記筐体との間に介在するバネ部材であっても良く、そうすると、構造が簡素化される。また、バネ部材のバネ定数を調節することで落下時にのみ緩衝部材として機能させることは容易である。
【００１８】
また、上記レンズと上記イメージセンサとの双方がブレ補正素子であって、上記保持モジュールが、そのレンズとそのイメージセンサとの双方を保持するものであって、
当該撮影装置が、さらに、上記保持モジュールを移動自在に支持する支持部材を備えた態様であることが好ましい。
【００１９】
上記ブレ補正素子は上記レンズだけであっても良く、上記イメージセンサだけであっても良いが、上記支持部材で上記レンズと上記イメージセンサとの双方を支持する構成であると、そのレンズとそのイメージセンサとの双方を保持する保持モジュールをいままでよりも大きく揺動させることができ、今までに比べて大きな手ブレが発生してもその手ブレを補正することができる。
【００２０】
ここまでの上記本発明が、本出願人が先に出願した特願２００７−０３５３４１号に適用されるとより一層の効果が得られる。
【００２１】
すなわち、上記保持モジュールを、自在な向きに揺動自在に、その保持モジュールの外周沿いの一点である軸点で支持する支持部材をさらに備え、
上記駆動機構が、上記保持モジュールの外周沿いの、上記軸点から互いに異なる第１の方向および第２の方向それぞれに離れた第１の駆動点および第２の駆動点それぞれを介して保持モジュールを駆動する２つの駆動機構であって、上記保持モジュールを、上記第１の駆動点を介して、上記軸点と上記第２の駆動点とを結ぶ第１の軸の周りに回動させる第１の駆動機構と、上記第２の駆動点を介して、上記軸点と上記第１の駆動点とを結ぶ第２の軸の周りに回動させる第２の駆動機構とからなる態様であることが好ましい。
【００２２】
ここで上記撮影ユニットが上記支持部材に固定されたものであるときには、上記緩衝部材が、上記支持部材と上記筐体内面との間に介在しても良い。
【００２３】
また、上記第１の駆動機構が、
上記第１の駆動点を回動自在に支持する第１のアームと、
上記第１のアームに保持され、磁力の作用と通電を受けて光軸方向の駆動力を生成しその第１のアームに上記第１の駆動点を光軸方向に駆動させる第１のコイルと、
上記支持部材に保持されて上記第１のコイルに磁力を作用させる、光軸に対し水平に広がる第１のマグネットと、
上記支持部材に固定され、上記第１のアームの、上記第１の駆動点に駆動力を与える第１の作用点が光軸方向に移動するように、その第１のアームを案内する第１の案内部材とを備え、
上記第２の駆動機構が、
上記第２の駆動点を回動自在に支持する第２のアームと、
上記第２のアームに保持され、磁力の作用と通電を受けて光軸方向の駆動力を生成しその第２のアームに上記第２の駆動点を光軸方向に駆動させる第２のコイルと、
上記支持部材に保持されて上記第２のコイルに磁力を作用させる、光軸に対し水平に広がる第２のマグネットと、
上記支持部材に固定され、上記第２のアームの、上記第２の駆動点に駆動力を与える第２の作用点が光軸方向に移動するように、その第２のアームを案内する第２の案内部材とを備えたことを特徴とする。
【００２４】
さらに、上記第１のアームに支持されてその第１のアームが上記第１の駆動点を駆動したときのその第１のアームの光軸方向の移動による上記第１のマグネットから受ける磁力の変化を検出する第１のセンサと、
上記第２のアームに支持されてその第２のアームが上記第２の駆動点を駆動したときのその第２のアームの光軸方向の移動による上記第２のマグネットから受ける磁力の変化を検出する第２のセンサとを備えた態様であることが好ましい。
【００２５】
また、上記第１の駆動点および上記第２の駆動点が、その第１の駆動点と上記軸点とを結ぶ線分およびその第２の駆動点と上記軸点とを結ぶ線分が互いに略９０度の角度で交わる各位置に形成されていることが好ましい。
【００２６】
また上記保持モジュールが、上記軸点に球状の凸部を有し、上記支持部材が、上記支持部に、その凸部を受ける球状の凹面を有することが好ましい。
【００２７】
また、上記保持モジュールが、上記第１の駆動点および上記第２の駆動点それぞれに球状の凸部を有し、上記第１のアームおよび上記第２のアームが、上記第１の作用点および上記第２の作用点それぞれに、その第１の駆動点およびその第２の駆動点それぞれに備えられた各凸部を受ける球状の各凹部を有し、その第１のアームおよびその第２のアームがその各凹部を介してその各凸部に駆動力を与えるものであることが好ましい。
【００２８】
さらに上記手ブレ検出センサの検出結果に応じて上記駆動機構に上記保持モジュールを駆動させるブレ制御部を備えた態様であることが好ましい。
【００２９】
また上記課題を達成する本発明の携帯機器は、上記撮影装置を具備したことを特徴とする。
【発明の効果】
【００３０】
以上説明した様に、落下の衝撃を受けても内部の撮影ユニットが壊れ難い撮影装置、その撮影装置を備えた携帯機器が実現する。
【発明を実施するための最良の形態】
【００３１】
以下、図面を参照して本発明の実施の形態を説明する。
【００３２】
図１は、本発明の一実施形態が適用された携帯電話機の外観斜視図である。
【００３３】
図１（Ａ）には、携帯電話機１００の前面図が示されている。携帯電話機１００の前面には、メニュー画面や、撮影画像などが表示される液晶パネル１０１、内部にスピーカ（図２参照）が配備され、スピーカから発せられる音声を空間に放つための受話口１０２、各種機能の選択や、撮影を行う際のシャッタボタンとして使用される選択ボタン１０４、電話番号を入力するためのプッシュボタン１０５、内部にマイクロフォン（図３参照）が配備され、声をマイクロフォンに伝えるための送話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００３４】
図１（Ｂ）には、携帯電話機１００の背面図が示されている。携帯電話機１００の背面には、電話局を介して音声やメールなどのデータを送受信するための第１アンテナ１０３ａや撮影レンズ１００ａが配備されている。この撮影レンズ１００ａは、後述する撮影ユニットが備える保持モジュールに保持されている。
【００３５】
図２は、図１の携帯電話機１００の内部構成を示すブロック図である。
【００３６】
携帯電話機１００の内部には、撮影ユニット２００、Ａ／Ｄ（Ａｎａｌｏｇ／Ｄｅｇｉｔａｌ）変換部１１３、マイクロフォン１２１、スピーカ１２２、インタフェース部１２０、第１アンテナ１０３ａ、第１送受信部１０３、入力コントローラ１３０、画像信号処理部１４０、ビデオエンコーダ１５０、画像表示装置１６０、第２アンテナ１０９ａ、第２送受信部１０９、メモリ１７０、ＣＰＵ１８０、メディアコントローラ１９０、および図１に示す選択ボタン１０４やプッシュボタン１０５などといった各種スイッチ１８１が具備されており、さらに、記録メディア１９０ａが接続されている。本実施形態においては、ジャイロセンサ１８２とドライバＤＲ１、ＤＲ２を備えた撮影ユニット２００、ＣＰＵ１８０、入力コントローラ１３０、画像信号処理部１４０、ビデオエンコーダ１５０、画像表示装置１６０、液晶パネル１０１、メディアコントローラ１９０、記録メディア１９０ａで、本発明の撮影装置の一例が構成される。
【００３７】
ＣＰＵ１８０は、図２に示す携帯電話機１００の各種要素に処理の指示を伝えて、各種要素を制御する。例えば、撮影を行う撮影モードが設定された状態で図１の選択ボタン１０４が押下されると、ＣＰＵ１８０から撮影ユニット２００が備えるＣＣＤ１１２に指示が与えられるとともに、ジャイロセンサ１８２により検出された手ブレを打ち消す方向に撮影ユニット２００が備える保持モジュール（後述）を揺動させるようにドライバＤＲ１，ＤＲ２に指示が与えられて手ブレが補正されつつ撮影が行なわれる。この撮影ユニット２００の構成については、後で詳しく説明する。
【００３８】
図１（Ａ）の選択ボタン１０４が押下されたことを受けてＣＰＵ１８０は撮影ユニット２００内のＣＣＤ１１２に電子シャッタを設定して撮影処理を開始させる。
【００３９】
このときには選択ボタン１０４が押下されたときの手ブレの方向がジャイロセンサ１８２で検出されＣＰＵ１８０に通知される。ＣＰＵ１８０は、そのジャイロセンサ１８２の検出結果を受けてドライバＤＲ１，ＤＲ２に補正方向を通知し、ドライバＤＲ１，ＤＲ２に撮影ユニット２００内のコイル（後述する）を駆動させ撮影ユニット２００内の保持モジュール（後述する）をブレに応じて揺動させながら撮影を実施させる。こうして選択ボタン１０４が押されたときの手ブレが補正されてＣＣＤ１１２にブレなく被写体光が結像される。
【００４０】
そしてＣＣＤ１１２は、撮影レンズ１００ａを通ってきた被写体光を電子シャッタのシャッタ秒時の間中受光して、被写体光に基づく被写体像をアナログ信号である被写体信号として読み取る。そのＣＣＤ１１２で生成された被写体信号は、Ａ／Ｄ変換部１１３でデジタルの撮影画像データに変換され、変換後の撮影画像データは、入力コントローラ１３０を介して画像信号処理部１４０に送られる。
【００４１】
画像信号処理部１４０では、画像データにＲＧＢレベルの調節、ガンマ調整等といった画像処理が施され、さらに、画像処理後の画像データに圧縮処理が施される。圧縮後の画像データは、一旦メモリ１７０に送られる。
【００４２】
メモリ１７０には、この携帯電話機１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００４３】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１６０に送られ、画像表示装置１６０によって、画像データが表す画像が液晶パネル１０１に表示される。メディアコントローラ１９０は、メモリ１７０に記憶された圧縮後の画像データを記録メディア１９０ａへ記録したり、記録メディア１９０ａに記録された画像データを読み出すためのものである。
【００４４】
また、図１（Ａ）に示すプッシュボタン１０５を使って電話番号が入力され、確定ボタン１０７が押下されると、電話番号が設定されて相手装置との通信が開始される。このとき、携帯電話機１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００４５】
相手装置との接続が確立すると、ユーザが携帯電話機１００に向けて発した声が、マイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４６】
また、この携帯電話機１００には、電話局を介して他の携帯電話機などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話機などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４７】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９０ａに記録される。
【００４８】
携帯電話機１００は、基本的には以上のように構成されている。
【００４９】
続いて、携帯電話機１００が備える撮影装置が備える撮影ユニット２００の構成を説明する。
【００５０】
図３は、撮影ユニットの分解斜視図である。また、図４は図３の分解斜視図に示されている各部材が組み込まれた後の撮影ユニット２００を示す図である。
【００５１】
図３、図４においては、左下が被写体側にあたる。
【００５２】
図３には、左下の被写体側からカバー２０１、保持モジュール２０２、画像信号転送用のフレキシブル基板ＦＲ１、図３の第１の方向に延びる基板２０３Ａと図３の第２の方向に延びる基板２０３Ｂとの双方に形成された各コイルを通電するためのフレキシブル基板ＦＲ２、コイルが形成された基板２０３Ａ，２０３Ｂそれぞれを保持する一対のアームＡＲＭ１，ＡＲＭ２、各基板２０３Ａ，２０３Ｂ上に形成されたコイルに対向するようにＮ極とＳ極とが並べられたマグネットＭＡＧ１，ＭＡＧ２を保持するコの字型のヨーク２０４Ａ，２０４Ｂ、２本のアームそれぞれを移動自在に支持するとともに２つのヨーク２０４Ａ，２０４Ｂがそれぞれ第１の方向と第２の方向に延びる面に固定される支持部材２０５が、順序良くそれぞれ分解された状態で示されている。これらが組立てられると、図４に示す形になる。この図４には、支持部材２０５の、レンズ１００ａ側とは反対の側から固定される手ブレ検出基板１８２Ａも図示されている。この手ブレ検出基板１８２Ａには、図２に示したジャイロセンサ１８２が搭載されている。
【００５３】
まず、図３を参照して構成を説明していく。
【００５４】
図３の一番右側には、保持モジュール２０２を揺動させるための２つの駆動機構を支持する、くの字型の支持部材２０５が示されている。この支持部材２０５に保持モジュールを揺動させるための２つの駆動機構が支持されるとともに保持モジュールが揺動自在に支持される。
【００５５】
この支持部材２０５には、上記２本のアームＡＲＭ１，ＡＲＭ２の両端部に設けられている孔部Ｈ１，Ｈ２，Ｈ３，Ｈ４がそれぞれ挿通される案内部材２０５１，２０５２，２０５３が３箇所に設けられている。これらの案内部材２０５１〜２０５３は、くの字型の形状を持つ支持部材２０５の各頂点部にそれぞれ設けられていて、中央の案内部材２０５１には、双方のアームＡＲＭ１，ＡＲＭ２の両端部の孔のうちの孔Ｈ１と孔Ｈ３とが共通に挿通されるようになっている。
【００５６】
つまり、２本のうちの一方のアームＡＲＭ１が支持部材２０５のくの字型の中心の頂点にある案内部材２０５１とくの字の一方の端部側の頂点にある案内部材２０５２とに挿通され、他方のアームＡＲＭ２がくの字型の中心の頂点にある案内部材２０５１と他方の端部側の頂点にある案内部材２０５３に挿通される。なお、図示されてはいないが、これらのアームＡＲＭ１，ＡＲＭ２の一方の端部側（孔Ｈ２、孔Ｈ４があるところ）の保持モジュール側には、保持モジュール側の球状の凸部に係合する凹部がそれぞれ設けられている。また支持部材２０５のくの字型の中心部の、保持モジュール側には、保持モジュール２０２を支持するための支持部があり、この支持部には凹部が設けられている。
【００５７】
また支持部材２０５のくの字型の中央の頂点を中心に図３の第１の方向に延びる面と第２の方向に延びる面には、それぞれコの字型のヨーク２０４Ａ，２０４Ｂが接着固定されるようになっている。これらのコの字型のヨーク２０４Ａ，２０４Ｂは、コイルが形成された基板２０３Ａ，２０３Ｂがある側に開口が向くように配設されるので、それぞれの開口側からマグネットＭＡＧ１，ＭＡＧ２と平行になるように基板２０３Ａ，２０３Ｂそれぞれが収容されるようにして配設される。その各基板２０３Ａ，２０３Ｂには、基板上のコイルに通電を行なうためのフレキシブル基板ＦＲ２が接続されるようになっている。なおこのコイルが形成された基板２０３Ａ，２０３Ｂには、アームＡＲＭ１，ＡＲＭ２の動きに応じて揺動する保持モジュール２０２の位置を検出するためのホール素子が備えられている。
【００５８】
前述した様に、くの字型の支持部材２０５の中央の頂点部の保持モジュール２０２側には、保持モジュール２０２の球状の凸部が係合して保持モジュール２０２を支持する支持部となる凹部が設けられているので、その凹部に保持モジュール２０２の凸部ＰＢが係合するとともに、支持部材２０５に移動自在に支持された２本のアームＡＲＭ１，ＡＲＭ２それぞれに設けられている球状の凹部が保持モジュール２０２の第１の駆動点Ｄ１の凸部と第２の駆動点Ｄ２の凸部に係合すると、図４に示す様に保持モジュール２０２が揺動自在に支持部材２０５に支持されることになる。
【００５９】
この例では、支持部材２０５とアームＡＲＭ１とコイルが形成された基板２０３ＡとマグネットＭＡＧ１が貼付されたヨーク２０４Ａとで本発明にいう第１の駆動機構の一例が構成され、支持部材２０５とアームＡＲＭ２とコイルが形成された基板２０３ＢとマグネットＭＡＧ２が貼付されたヨーク２０４Ｂとで本発明にいう第２の駆動機構の一例が構成されることになる。その第１の駆動機構が、保持モジュール２０２を、第１の駆動点Ｄ１を介して、軸点ＰＢと第２の駆動点Ｄ２とを結ぶ第１の軸の周りに回動させるとともに第２の駆動機構が、第２の駆動点Ｄ２を介して、軸点ＰＢと第１の駆動点Ｄ１とを結ぶ第２の軸の周りに回動させることにより保持モジュールを揺動させる。
【００６０】
なお図３には、第１の駆動点Ｄ１と第２の駆動点Ｄ２を示すために、球状の凸部を持つ棒状の部材２０２１Ａ，２０２１Ｂとそれらの棒状の部材２０２１に挿通されるバネ部材２０２２Ａ，２０２２Ｂがそれぞれ示されている。それぞれのバネ部材２０２２Ａ，２０２２Ｂは、コイルが通電されていないときに２本のアームＡＲＭ１，ＡＲＭ２それぞれを動かないようにする機能を持つ部材であって、各バネはコイルが通電されないときには凸部（第１の駆動点Ｄ１，第２の駆動点Ｄ２）を、アーム側の凹部にバネ付勢により押し付けることでコイルの通電を切った後はその通電を切ったときに位置していた位置にアームを静止させる機能を有する。
【００６１】
またこの例では、保持モジュール２０２にレンズの他ＣＣＤ１１２も保持される構成のものが示されているため、揺動する保持モジュール２０２に画像信号転送用のフレキシブル基板ＦＲ１が接続されている。そのフレキシブル基板ＦＲ１は、ＣＣＤ１１２が実装されているセンサ基板ＰＣＢに一端が接続され、そのセンサ基板ＰＣＢから少なくとも最初に延在する部分が、保持モジュール２０２から外側に向かって、軸点ＰＢと第１の駆動点Ｄ１を結ぶ第１の方向と軸点ＰＢと第２の駆動点Ｄ２を結ぶ第２の方向の双方に対し斜めの方向に延在するように接続されている。このようにすると、揺動があまりフレキシブル基板に伝わらなくなる。つまり、本実施形態には、本発明にいうブレ補正素子が、レンズ１００ａとＣＣＤ１１２とで構成された例が示されている。
【００６２】
ここまでの撮影ユニット２００に関する説明は、特願２００７−０３５３４１号で提案した像ブレ補正ユニットの構成の説明と、支持部材に手ブレ検出センサを固定する構成にしたこと以外はほぼ同じ内容である。
【００６３】
ここで本実施形態においては、上記課題を達成するために、固定状態にある上記支持部材に撮影ユニット２００を取り付けてその撮影ユニット２００をバネ部材を介して筐体に取り付ける取付構造を提案している。
【００６４】
図５は、その取付構造を説明する図である。
【００６５】
本実施形態においては、手ブレ検出基板１８２Ａを筐体１００Ａに移動不能に固定的に取り付けるとともに、撮影ユニット２００をバネ部材ＳＰ１，ＳＰ２を介して取り付けている。これらのバネ部材ＳＰ１，ＳＰ２は、落下時の衝撃を好適に吸収するバネ定数を有するものものであり、落下時以外においては撮影ユニット２００を固定的に支持するものである。
【００６６】
図５に示す様に、撮影ユニット２００と筐体１００Ａ座面との間にバネ部材ＳＰ１，ＳＰ２が挿入され撮影ユニット２００が筐体に取り付けられる。こうして撮影ユニット２００がバネ部材ＳＰ１，ＳＰ２を介して取り付けられると、手ブレが手ブレ検出基板１８２Ａ上のジャイロセンサで検出されてそのジャイロセンサで検出されたブレに応じて、支持部材２０５に支持されている撮影ユニット２００によって正確に像ブレ補正が行なわれるとともに、携帯電話機が落下したときにはそれらのスプリングＳＰ１，ＳＰ２によって落下の衝撃が吸収されて撮影ユニット２００の損壊が防止される。
【００６７】
なお、本実施形態においては、上述した様に本発明にいうブレ補正素子がレンズとイメージセンサとで構成された例を掲げたが、ブレ補正素子は、レンズだけであっても良く、またイメージセンサだけであっても良い。
【図面の簡単な説明】
【００６８】
【図１】本発明の一実施形態が適用された携帯電話機の外観斜視図である。
【図２】図１の携帯電話機１００の内部構成を示すブロック図である。
【図３】撮影ユニットの分解斜視図である。
【図４】図３の分解斜視図に示されている各部材によって撮影ユニットが組立てられた後の状態を示す図である。
【図５】取付構造を説明する図である。
【図６】従来の像ブレ補正機能を有する撮影ユニットの作用を説明する図である。
【図７】携帯電話機１００Ｉに撮影ユニット２００Ｉを搭載する場合に、現状で考えられる撮影ユニット２００Ｉの取付構造を説明する図である。
【符号の説明】
【００６９】
１００    携帯電話
１００Ａ    筐体
１０１    液晶パネル
１０２    送話口
１０３ａ    第１アンテナ
１０４    選択ボタン
１０５    プッシュボタン
１０６    受話口
１０７    確定ボタン
１０８    電源ボタン
１０９ａ    第２アンテナ
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
２００    撮影ユニット
１００ａ    レンズ
２０１    カバー
２０２    保持モジュール
２０３Ａ  ２０３Ｂ    基板
２０４Ａ  ２０４Ｂ    ヨーク
２０５１  ２０５２  ２０５３    案内部材
ＦＲ１  ＦＲ２    フレキシブル基板
ＡＲＭ１  ＡＲＭ２    アーム
ＰＢ    軸点（球状の凸部）
Ｄ１    第１の駆動点（球状の凸部）
Ｄ２    第２の駆動点（球状の凸部）
【図１】
2009141677.tif 000003
【図２】
2009141677.tif 000004
【図３】
2009141677.tif 000005
【図４】
2009141677.tif 000006
【図５】
2009141677.tif 000007
【図６】
2009141677.tif 000008
【図７】
2009141677.tif 000009